(57)【要約】【課題】製作コストを安価に押さえ、スムーズな排水が可能な洗濯機用排水ホース固定装置を提供するもので、最近の洗濯機でお風呂の残り湯を吸水して利用する節水型洗濯機の吸水ホース固定装置としも使える装置を提供する。【解決手段】洗濯機用給排水ホース固定装置を構成するホース端固定部材と蓋側化粧部材を壁面またはドア竪枠等に穿設された透孔外周部にそれぞれ個別にビス止め等の手段で取付前記ホース固定部材より突設して設けられたカーラーが透孔内でホース端固定部材と蓋側化粧部材の連繋を有するホース挿通孔を形成する。従って、ホース挿通孔は水平軸芯を３度から５度ほど下方向に傾けた壁面または竪枠に取り付けることも可能で、排水ホース内に残水が残ることがなくなり、スムーズな排水が出来る。【選択図】　　　　図４
2004065420.tif 000002
【特許請求の範囲】
【請求項１】
洗濯機設置場所近傍の壁面またはドア竪枠やドア下枠等に穿設した透孔を両面から覆って洗濯機用排水ホースの先端を捨水可能な場所に挿出する洗濯機用排水ホース固定装置あって、前記透孔の外周面に適宜固定手段を介して固定するフランジ部に前記洗濯機用排水ホースの先端部材の一側に突設したフックが挿通するキー溝様の溝孔を一体に穿設した排水ホース挿通孔を穿設し、該排水ホース端挿通孔に連続して前記フランジ部の正面側に同形状の筒襟部を突設すると共に、該筒襟部の背面側に内径に前記排水ホース端挿通孔を包括するカーラーを突設してなるホース端固定部材と、前記カーラーが突設する該先端部に対向する背面側の壁面またはドア竪枠やドア下枠等の他面に蓋側化粧材とグロメット型蓋部材からなる排水ホース挿入口を設け、前記グロメット型蓋部と対向するカーラー先端部の関係は前記透孔の縁部まで達していないか、透孔の縁部を多少飛び出してグロメット型蓋部材の内側縁部にドン付けされた状態であることを特徴とする洗濯機用給排水ホースの固定装置。
【請求項２】
洗濯機設置場所近傍の壁面またはドア竪枠やドア下枠等に穿設した透孔を両面から覆って洗濯機用排水ホースの先端を捨水可能な場所に挿出する洗濯機用排水ホース固定装置にあって、前記透孔の外周面に適宜固定手段を介して固定するフランジ部に前記洗濯機用排水ホースの先端部材の一側に突設したフックが挿通するキー溝様の溝孔を一体に穿設した排水ホース挿通孔を穿設し、該排水ホース端挿通孔に連続して前記フランジ部の正面側に同形状の筒襟部を突設すると共に、該筒襟部の背面側に内径に前記排水ホースを端挿通孔を包括するカーラーを突設してなるホース端固定部材と、前記カーラーが突設する該先端部に対向する背面側の壁面またはドア竪枠やドア下枠等の他面に蓋側化粧材とグロメット型蓋部材からなる排水ホース挿入口を設けた構成において、前記カーラー及び排水ホース端挿通孔の軸芯は水平軸に対して３度から５度の角度をもって下方向に傾いてフランジ部を介して前記透孔の外側面に固定されていることを特徴とする洗濯機用吸排水ホースの固定装置。
【請求項３】
グロメット型蓋部材の弾性で吸排水ホースをどの位置でも保持する事が出来るよう構成して、お風呂の残り湯を洗濯水に使用する節水型洗濯機の吸水ホースの固定装置として使用する事を特徴とする請求項１及び請求項２記載の洗濯機用吸水ホースの固定装置。
【発明の詳細な説明】
【０００１】
【発明の属する技術分野】
本発明は、洗濯機専用の排水設備を持たない家屋や集合住宅の排水設備に係り、洗濯機用排水ホースの先端を挿通して浴室の洗い場に捨水を吐出するための洗濯機用排水ホース固定装置に関するものであり、また、最近の洗濯機では、お風呂の残り湯を吸水して洗濯機に給水するポンプを内蔵して、該残り湯を洗濯水として使用して節水する、環境に配慮した洗濯機が、商品化されてきており、本発明は前記洗濯機の吸水ホース固定装置にもなる洗濯機用吸排水ホースの固定装置に関するものである。
【０００２】
【従来の技術】
従来の集合住宅等において洗濯パンに排水設備がない家屋では、洗濯機を浴室の出入口近傍に設置し、洗濯機使用時には浴室のドアを開放して洗濯機用排水ホースを浴室の洗い場に引き入れて洗濯を行っていた。
【０００３】
従って、洗濯機の使用中は浴室のドアを閉めることができなくなって不便であるだけでなく、一般に浴室の敷居が高く設計してあるため、これを排水ホースが乗り越えて排水するようになり、洗濯機をそのまま設置すると洗濯機内の捨水が上手くいかなかったり、排水の勢いで排水ホースが動き、場合によっては排水設備のない床を濡らしてしまったり、階下の住居へ漏水させてしまうこともあった。
【０００４】
斯くして、上記問題を解決するため、特許第３０５５０９９号公報にて開示された発明の名称「洗濯機用排水ホース固定装置及び洗濯機用排水ホース固定装置付ドア」がある。
【０００５】
特許第３０５５０９９号の従来技術においては、洗濯機設置場所近傍の壁面またはドアパネルに穿設した透孔を両面から覆って洗濯機用排水ホースの先端を捨水可能な場所に挿出する洗濯機用排水ホース固定装置であり、該透孔の外側面に適宜固定手段を介して固定するフランジ部に前記洗濯機用排水ホースの先端部材の一側に突設したフックが挿通するキー溝様の溝孔を一体に穿設した排水ホース端挿通孔を穿設し、該排水ホース端挿通孔に連続して前記フランジ部の正面側に同形上の筒襟部を突設すると共に、背面側に内径に前記排水ホース端挿通孔を包括するネジを螺設したカーラーを突設してなるホース端固定部材と、上記透孔の内側面からフランジ部に突設したカーラーを挿入し、上記ホース端固定部材のカーラーと螺合締結すると共に、フランジ部の内縁にゴム、合成ゴムまたは軟質樹脂によって構成したグロメット型蓋部材を嵌着してなる蓋側化粧部材とから構成してなるもので、洗濯機用排水ホースの捨水挿通孔を後付け施工によって工作する事を要旨とするものである。
【０００６】
而して前述の従来装置に於いては、洗濯機設置場所近傍の壁面またはドアパネルに穿設した透孔を両面から覆って洗濯機用排水ホースの先端を捨水可能な場所に挿出する排水用ホースの固定装置であり、ホース端部固定部材のカーラー外周部に設けられた雄ネジと、蓋側化粧部材のカーラー内周部に設けられた雌ネジが螺合結合して、前記透孔を覆うもので、それぞれの部材に雄ネジと雌ネジを設けた部材は金型で作る樹脂製のホース端部固定部材及び蓋側化粧部材の製作工数を増やし製作コストを高いものにしている。
【０００７】
また、従来の洗濯機用排水ホース固定装置は洗濯機設置場所近傍の壁面またはドアパネルに対して直角に穿設された透孔を両面から覆って洗濯機用排水ホースの先端を捨水可能な場所に挿出するものであり、該洗濯機の排水ホースは可撓性を有していることから、洗濯機と排水ホース固定装置間で大きく撓んでしまい、排水ホース内に残水が溜まる等、スムーズな排水がなされなかった。
【０００８】
【発明が解決しようとする課題】
而して本発明は従来装置の改良発明に関するものであり、製作コストを安価に押さえ、スムーズな排水が可能な洗濯機用排水ホース固定装置を提供するものであって、また、本発明は最近の洗濯機でお風呂の残り湯を吸水して洗濯機に吸水する型の洗濯機の吸水ホース固定装置としても特徴のある洗濯機用吸排水ホース固定装置を提供することを目的とするものである。
【０００９】
【課題を解決するための手段】
本発明は、吸排水洗濯機用ホース固定装置を構成するホース端部固定部材と蓋側化粧部材を壁面またはドアパネルに穿設された透孔外周部にそれぞれ個別にビス止め等の手段で取付、前記ホース固定部材より突出して設けられたカーラーが透孔内でホース端部固定部材と蓋側化粧部材の連繋を有するホース挿通孔を構成する。
【００１０】
従って、前記ホース端部固定部材より突出して設けられるカーラーと蓋側化粧部材にカーラーを設け、該両カーラーに雄ネジ、雌ネジを螺設する必要もないので、金型の製作費を含めて安価に製作出来る。また前記蓋側化粧部材は、グルメット蓋部と一体化して透孔縁部にガスケット工法の要領で取りつけることも可能であり、この場合には、部材成型用の金型を少なくすることも可能であって、コスト削減も大幅にはかれる。
【００１１】
更に、本発明においてはホース端部固定部材と蓋側化粧材が透孔内にて螺合締結していないので、ホース端部固定部材と蓋側化粧部材が構成する吸排水ホース挿通孔を前記壁面やドアパネルに対して直角ではなく、９３〜９５度の角度を持って製作出来、該角度を有した吸排水ホース挿通孔は洗濯機の吸排水ホース撓みを少なくして　、排水ホースの場合、該排水ホースに残水がたまらないスムーズな排水がなされ、お風呂の残り湯を洗濯機に汲み上げる吸水ホースの固定用として使用する場合には、該吸水ホースの撓み曲線が緩やかで　効率の良い吸水が可能になった。
【００１２】
【発明の実施の形態】
以下、本発明の洗濯機用吸排水ホースの固定装置の実施例を図１乃至図６に基づき説明する。
図１は洗濯機の排水ホースを介して捨水を浴室の洗い場に吐出する場合を示している。図１に於いて符号１は浴室の洗い場壁面またはその入口に建て込んだ浴室ドアの竪枠であり、該竪枠１を境に２は浴室洗い場、３は浴室の洗い場２近傍に設けられた洗濯機本体、４は洗濯機本体３の排水ドレンに連通した排水ホースを示しており、該排水ホース４の先端には、円筒状の部材の一側に鈎上のフック５を突設した先端部材６が一体に構成してあり、洗濯機非使用時には洗濯機本体３の側面に構成したフック受環に掛止収納する構造になっている。
【００１３】
斯くして、前記浴室ドアの竪枠１のできるだけ低い位置には、透孔７が穿設されており、該透孔７を覆うように本発明に係る洗濯機用排水ホース４の固定装置８が装着されている。図１は洗濯機本体３の排水ホース４が前記排水ホースの固定装置８に保持固定され、洗濯機本体３の捨水を浴室洗い場２に排水している状態を示している。
【００１４】
図２は最近の洗濯機が吸水ポンプを内蔵してお風呂の残り湯を吸水し、洗濯機本体３に供給して残り湯を洗濯水として使用する、環境に配慮した節水型の洗濯機として商品化されてきており、この場合の吸水ホース９の保持固定状態を示している。
【００１５】
図２に於いて図１と同一構成要素は同一符号にて示しており、バスタブ１０に残された残り湯１１は、吸水ホース９にて洗濯機本体３に供給されるが、この場合にあっても、吸水ホース９は前記排水ホース４と同様に浴室ドアの竪枠１下方に設けられた本発明の吸排水ホース固定装置８内を貫通して保持固定され洗濯機本体３に残り湯１１を供給している。
【００１６】
斯くして、本発明の吸排水ホース固定装置の構成を図３乃至図５の実施例に基づき詳説する。図３は本発明の吸排水ホース固定装置を浴室洗い場側より見た平面図、図４は図３のＡ−Ａ’断面図、図５は図３の背面図であり、吸排水ホース固定装置を洗濯機設置側より見た外観を示している。
図３乃至図５に於いて１は例えばアルミ押出形材にて作られた浴室ドアの竪枠であり、該竪枠１にはできるだけ定位置に本発明の洗濯機用吸排水ホース固定装置の筒部が挿通する透孔７を穿設する。
【００１７】
符号１２はホース端固定部材であり、フランジ部１３に前記洗濯機用吸排水ホース４の先端部材６（図１に示す）一側に突設したフック５が挿通するキー溝様の溝孔１４を一体に穿設した吸排水ホース端挿通孔１５を穿設すると共に、該吸排水ホース端挿通孔１５に連続して該フランジ部１３の正面側に同形上の筒襟部１６を突設してなる。
【００１８】
該ホース端固定部材１２はフランジ部１３の背面側に、上記吸排水ホース端挿通孔１５を包括して大径になるカーラー１７を突設すると共に、前記ホース端固定部材１２，フランジ部１３、カーラー１７、並びに吸排水ホース端挿通孔１５の軸芯は、水平軸Ｈに対して３度から５度の角度Ｒをもって下方向に傾き、フランジ部１３に穿設したビス挿通孔１８ａ、１８ｂ、１８ｃから挿入したビス１９ａ、１９ｂ、１９ｃにより上記透孔７の外側面に固定されている。
【００１９】
そして、ホース端固定部材１２、カーラー１７の軸芯を傾けて透孔７に取り付けることにより、可撓性のある洗濯機の吸排水ホースは、洗濯機と本発明の吸排水ホース固定装置間で大きく撓むことなく、一定の角度にて固定保持されるから、特に排水ホース内に残水が溜まることもなく、スムーズな排水がなされる。
【００２０】
また、符号２０は、蓋側化粧材であり、該蓋側化粧材２０には、ゴム、合成ゴムまたは軟質樹脂によって構成した楕円形状のグロメット型蓋部材２１が周溝２２にて蓋側化粧材２０の凸部２３に嵌着されて一体化されており、該グロメット型蓋部材２１の内径盤面には十字状の切断２４が施されていて、材質の弾性により開口が可能であり、前記、吸排水ホース４または９を差し込むと吸排水ホース４、９は本発明の吸排水ホース固定装置内で、グロメット型蓋部材２１の弾性により固定保持される。尚、２５、２５’は、グロメット型蓋部材２１を嵌着一体化した蓋側化粧部材２０をドア竪枠１の透孔７外側面に取り付けるためのビスを示している。
【００２１】
而して、前記ホース端固定部材１２のフランジ部１３から突設しているカーラー１７と蓋側化粧部材２０の形状関連は、図４に示す如く、カーラー１７の端部が、アルミ押出型材で製作される寸法精度の良い竪枠１を貫通して、竪枠１に穿設された透孔７の縁部まで達しているか（図４の状態）、透孔７の縁部を若干飛び出して、グロメット型蓋部材２１の内側縁部２６にドン付けされた状態でもよく、該部分の加工精度のラフさは、本発明の製作コストの安価なものにしている。
【００２２】
上記の構成による本発明の洗濯機用吸排水ホース固定装置は、使用に際して電気洗濯機の排水ホース４をフック受環から外し、該固定装置のグルメット型蓋部材２１の十字状の切断２４を押し開くようにして先端部材６を排水ホース端挿通孔１５に挿入する。このとき、先端部材６のフック５は、排水ホース端挿通孔１５の溝孔１４に沿って挿入されるから、該フック５が排水ホース端挿通孔１５を通過したところで周方向に回動すると、筒襟部１６にフック５が掛止して抜出しがなくなる。
【００２３】
この洗濯機用排水ホース固定装置による先端部６の確実な固定により排水ホース４に水を流したときに生じる、所謂「ホースの暴れ」現象も阻止せられ、洗濯排水を浴室の洗い場に捨水する事が出来る。また、洗濯が終了して洗濯機用排水ホース４を収納する場合には、フック５を溝孔１４位置に合わせることによってそのまま引き抜くことが出来る。
【００２４】
更に、本発明においては、前記グロメット型蓋部材２１の弾性を調整する事により、該グロメット型蓋部材２１にて排水ホース４を固定保持可能で、図１に示す如く、排水ホース４を洗い場２の奥に押し込んで、より安全性を確保したり、最近製品化されてきたお風呂の残り湯を洗濯水に使用する節水型の洗濯機の吸水ホースの固定保持においても、図２の如く利用出来る、洗濯機用吸排水ホースの固定装置となっている。
【００２５】
次に図６は本発明に係る洗濯機用吸排水ホース固定装置の他の実施例を示すものであり、該装置は、浴室ドアの下枠２７等に構成したものを示している。
【００２６】
符号２７はアルミ押出型材にて製作されるドア下枠、２８はホース端固定部材であり、フランジ部２９に上記洗濯機用排水ホース４の先端部材６の一側に突設したフック５が挿通するキー溝様の溝孔３０を一体に穿設した排水ホース端挿通孔３１を穿設すると共に、該排水ホース端挿通孔３１に連続して該フランジ部２９の正面側と背面側に同形状の筒襟部３２とカーラー３４を突設してなる。
【００２７】
また、上記カーラー３４は、ドア下枠２７に穿設した透孔７の孔長に相当する長さを有し、該カーラー３４，フランジ部２９、及び排水ホース端挿通孔３１の軸芯は、水平軸Ｈに対して３度から５度の角度Ｒをもって下方向に傾いてフランジ部２９に穿設したビス挿通孔３５ａ、３５ｂ、３５ｃから挿入したビス３６ａ、３６ｂ、３６ｃにより、上記透孔７の外側面に固定されている。
【００２８】
符号３７は、ゴム、合成ゴム、または軟質樹脂によって構成した円盤状のグロメット型蓋部材であり、外周に形成した周溝３８をドア下枠２７に穿設した円孔３９に嵌合固着すると共に、内径の盤面に材質の弾性により開口可能になる十字状切断４０を施してなる。
【００２９】
斯くして、図６の実施例のおいては、直接グロメット型蓋部材３７を透孔７の円孔３９に嵌合固着する事により、図３三乃至図５にて説明した実施例の蓋化粧部材２０を省略でき、より製作コストの削減が図れた。またフランジ部２９により傾きを設けた透孔７外側面に取り付けられるカーラー３４の長さは透孔７に相当する長さ、またはカーラー３４の端部がグロメット型蓋部３７の内側縁部４１にドン付けされた状態でも良く、該分部の加工精度は格別問題にはならない。
【００３０】
更に図６の実施例にあっても図２の如くお風呂の残り湯を洗濯水として利用する吸水ホースの固定装置に使用しても何ら問題を生じることはない。
【００３１】
【発明の効果】
以上述べたように本発明は洗濯機設置場所近傍の壁面、ドア竪枠、ドア下枠に穿設した透孔を両面から覆って洗濯機用排水ホースの先端を捨水可能な場所に挿出する排水ホースの固定装置であり、従来装置がホース端部固定部材のカーラー外周部に設けられた雄ネジと、蓋側化粧部材のカーラー内周部に設けられた雌ネジが螺合結合して前記透孔を覆うもので、それぞれの部材に雄ネジと雌ネジを螺設するコスト高の構成をやめて、前記ホース端部固定部材からカーラーを突設して、該カーラーの先端を蓋側化粧部材のグロメット型蓋部材の内側縁部附近まで延ばし、前記蓋側化粧部材の形状を簡略化して製作コストの削減を達成したものである。
【００３２】
また、本発明においては、ホース端部固定部材から突設しているカーラーと蓋側化粧部材から突設して設けられるカーラーが透孔内で螺合締結していないので、ホース端部固定部材とカーラーが構成する排水ホース挿通孔の軸芯を水平軸に対して３度から５度の角度をもって下方向に傾けフランジ部を介してドア竪枠或いはドア下枠に取付、可撓性のある排水ホースが洗濯機と本発明の排水ホース固定装置間で撓むことなく一定の角度にて固定保持して、スムーズな排水が常に行われるようにした。
【００３３】
更に本発明にあっては、グロメット型蓋部材で吸排水ホースをどの位置での保持することが出来るよう構成して、最近商品化されてきているお風呂の残り湯を洗濯水に使用する節水型の洗濯機に於ける吸水ホースの固定装置としても利用出来る等、本発明実施後の効果は極めて大きい。
【図面の簡単な説明】
【図１】洗濯機用排水ホース固定装置の部位を示す説明図である。
【図２】洗濯機用吸水ホース固定位置の部位を示す説明図である。
【図３】本発明の吸排水ホース固定装置を浴室側より見た正面図である。
【図４】図３のＡ−Ａ’断面図である。
【図５】図３の背面図である。
【図６】本発明の他の実施例を示す説明図である。
【符号の説明】
１　浴室ドアの竪枠
２　浴室洗い場
３　洗濯機本体
４　排水ホース
５　フック
６　先端部材
７　透孔
８　排水ホースの固定装置
９　吸水ホース
１０　バスタブ
１１　残り湯
１２　ホース端固定部材
１３　フランジ部
１４　溝孔
１５　排水ホース端挿通孔
１６　筒襟部
１７　カーラー
１８　ビス挿通孔
１９　ビス
２０　蓋側化粧材
２１　グロメット型蓋部材
２２　周溝
２３　凸部
２４　十字状の切断
２５　ビス
２６　内側縁部
２７　ドア下枠
２８　ホース端固定部材
２９　フランジ部
３０　溝孔
３１　排水ホース端挿通孔
３２　筒襟部
３４　カーラー
３５　ビス挿通孔
３６　ビス
３７　グロメット型蓋部材
３８　周溝
３９　円孔
４０　十字状切断
４１　内側縁部
【図１】
2004065420.tif 000003
【図２】
2004065420.tif 000004
【図３】
2004065420.tif 000005
【図４】
2004065420.tif 000006
【図５】
2004065420.tif 000007
【図６】
2004065420.tif 000008